(57)【特許請求の範囲】
【請求項１】
間仕切りパネルのアジャスターの代わりに固定キャスターが取付けられて構成されたスライドパネルを間仕切りパネルと平行に立設し、スライドパネルの上面に外嵌する上部倒れ止め金具を、間仕切りパネルの上面前端部に着脱自在に設ける一方、スライドパネルの下面に外嵌する下部振れ止め金具を、前記固定キャスター間に位置するよう間仕切りパネルの下面前端部に着脱自在に設け、間仕切りパネルのアジャスター間に渡って下面が開口する下向き略コ字形の案内レールを間仕切りパネルの下面に設ける一方、スライドパネルは、開放側端部より開放側に突出し間仕切りパネル側に延出するローラー支持部材が取付けられ、ローラー支持部材は、案内レールに下面から嵌合する案内ローラーを有することにより、間仕切りパネルに対しスライドパネルを所定範囲で移動可能としたことを特徴とするスライドパネルの移動装置。
【請求項２】
上部倒れ止め金具と下部振れ止め金具は、間仕切りパネル同士を連結する連結孔を利用して取付けられることを特徴とする請求項１に記載のスライドパネルの移動装置。
【請求項３】
スライドパネルの閉鎖時と開放時に上部倒れ止め金具の開放側端部と閉鎖側端部に当接する閉鎖用上部ストッパーと開放用上部ストッパーがスライドパネル開閉側端部上面に設けられている事を特徴とする請求項１、又は、請求項２に記載のスライドパネルの移動装置。
【発明の詳細な説明】
【技術分野】
【０００１】
本発明は、直線状、あるいは、Ｌ字形に連結された複数枚の間仕切りパネルの端部、あるいは、コーナー部に取付けられ、引き戸状に引き延ばされたり、あるいは互いに重ね合わされたり種々の機能を発揮するスライドパネルの移動装置に関するものである。
【背景技術】
【０００２】
執務空間をセクション別に区画したり、個人のワークステーションを構成したり、あるいはコミュニケーション空間を構成したりする間仕切り用のパネルは、使用される空間の環境に適応するよう、多様な機能、サイズ、色、形状のものが提供されている。
そして、構成された空間をさらに必要に応じて手軽に区画したり、あるいは、区画された空間を開放したりすることで、間仕切り用のパネルによって区画された空間内を種々の使い方ができる機能を有するものとして、床面に対して略鉛直の間仕切りパネルを複数枚、平面視において平行に重なるよう並べて配設し、この間仕切りパネルにおける表裏両面のうち隣接する間仕切りパネルに面する側に、横方向に延びるレール溝を少なくとも上下一対設ける一方、前記間仕切りパネルの端部における上下に、前記レール溝にその長手方向に摺動可能に嵌り係合する連結体を装着したものがある。（例えば、特許文献１参照。）
【０００３】
しかしながら、上記構成では、上下一対の連結体の係合爪を、他方の間仕切りパネルにおける上下一対のレール溝に嵌り係合させて、パネル同士をスライド可能に連結し、摺動するパネルの荷重は固定キャスターによって支持されているので、床面の傾斜、凹凸に沿って、摺動するパネルが上下動し、結果として、上下のレール溝内で上下の連結体が摺動中上下動する事となり、レール溝と連結体の嵌り係合では前記上下動を吸収できないため、パネルが摺動しなかったり、あるいは、円滑に摺動しなかったりして使い勝手が非常に悪かった。
又、摺動するパネル下側の連結体と間仕切りパネルの下側のレール溝の連結作業を、床面と摺動するパネル下面の狭い間隙で行わねばならず作業性が非常に悪かった。
【０００４】
一方、この問題を解決する為、スライドパネルを間仕切りパネルと平行に立設し、スライドパネルの上面に外嵌する上部倒れ止め金具を、間仕切りパネルの上面に着脱自在に設ける一方、スライドパネルの下面に外嵌する下部振れ止め金具を、間仕切りパネルの下面で、前記固定キャスター間に位置するよう間仕切りパネルの下面に着脱自在に設けたものがある。（例えば、特許文献２参照。）
この場合、床面の凹凸、傾斜にはある程度対応できるものの、固定キャスターがスライドパネルに対して確実に所定の状態に固定されていないと、スライドパネルは、間仕切りパネルと平行に移動せず、間仕切りパネルから次第に離間したり、あるいは逆に間仕切りパネルに接触したりすることが多々あった。
【０００５】
【特許文献１】特開２００２−１４６９５１号公報
【特許文献２】特開２００５−１２０６１４号公報
【発明の開示】
【発明が解決しようとする課題】
【０００６】
本発明は、既に設置されている間仕切りパネルとスライドパネルを現地での加工を必要とせず簡単に連結でき、しかも、床面の傾斜、凹凸に影響されず、又、スライドパネルの移動方向を所定方向に案内することにより円滑な摺動を得る事が出来る、スライドパネルの移動装置を得る事を課題とする。
【課題を解決するための手段】
【０００７】
そこで、上記課題を解決する為、本発明が第１の手段として構成したところは、間仕切りパネルのアジャスターの代わりに固定キャスターが取付けられて構成されたスライドパネルを間仕切りパネルと平行に立設し、スライドパネルの上面に外嵌する上部倒れ止め金具を、間仕切りパネルの上面前端部に着脱自在に設ける一方、スライドパネルの下面に外嵌する下部振れ止め金具を、前記固定キャスター間に位置するよう間仕切りパネルの下面前端部に着脱自在に設け、間仕切りパネルのアジャスター間に渡って下面が開口する下向き略コ字形の案内レールを間仕切りパネルの下面に設ける一方、スライドパネルは、開放側端部より開放側に突出し間仕切りパネル側に延出するローラー支持部材が取付けられ、ローラー支持部材は、案内レールに下面から嵌合する案内ローラーを有することにより、間仕切りパネルに対しスライドパネルを所定範囲で移動可能としたものである。
【０００８】
次に、本発明が第２の手段として構成したところは、前記第１の手段に加え、上部倒れ止め金具と下部振れ止め金具は、間仕切りパネル同士を連結する連結孔を利用して取付けられるものである。
本発明が第３の手段として構成したところは、前記第２の手段に加え、スライドパネルの閉鎖時と開放時に上部倒れ止め金具の開放側端部と閉鎖側端部に当接する閉鎖用上部ストッパーと開放用上部ストッパーがスライドパネル開閉側端部上面に設けられているものである。
【発明の効果】
【０００９】
請求項１に記載の発明によると、アジャスターに代えて固定キャスターを取付けることで、間仕切りパネルをスライドパネルとして使用することが出来、間仕切りパネルに設けた下面が開口する案内レールに下方から嵌合する案内ローラーをスライドパネルの開放側端部より開放側に突出して設けているので、スライドパネルが固定キャスターに支持され状態で、スライドパネルの開放側端部の前後方向への移動範囲が一定し、間仕切りパネルと平行に移動させることが可能で、かつ、床面の凹凸、傾斜にも対応する事ができる。
又、スライドパネルは固定キャスターによって床面に支持されているので、スライドパネルの転倒を防止する倒れ止め金具を間仕切りパネルに設けるだけでスライドパネルは円滑に移動し、倒れ止め金具は、倒れ止めの機能を必要とするだけの金具であるから、スライドパネルの上面と下面に外嵌する簡単な構造にすることが出来、結果として安価に製作出来る。
【００１０】
請求項２に記載の発明によると、請求項１の効果に加え、上部倒れ止め金具と下部振れ止め金具は、間仕切りパネルを連結する連結孔を利用して取付けられるので、上下部振れ止め金具を取付ける取付孔を形成するなどの加工が一切現場で必要としないので、専門業者でなくてもエンドユーザーが必要な時にスライドパネルを間仕切りパネルに追加的に取付けることが出来る。
【００１１】
請求項３に記載の発明によると、請求項１、又は、請求項２の発明の効果に加え、閉鎖用上部ストッパーと開放用上部ストッパーをスライドパネルの上面に設けているので、スライドパネルのスライド幅を、固定キャスター間の寸法から下部振れ止め金具の開閉方向の寸法を差し引いた寸法内であれば、使用場所によってスライドパネルのスライド幅を適宜選択することが出来るので非常に使い勝手がよい。
【発明を実施するための最良の形態】
【００１２】
間仕切りパネルのアジャスターの代わりに固定キャスターが取付けられて構成されたスライドパネルを間仕切りパネルと平行に立設し、スライドパネルの上面に外嵌する上部倒れ止め金具を、間仕切りパネルの上面前端部に着脱自在に設ける一方、スライドパネルの下面に外嵌する下部振れ止め金具を、前記固定キャスター間に位置するよう間仕切りパネルの下面前端部に着脱自在に設け、間仕切りパネルのアジャスター間に渡って下面が開口する下向き略コ字形の案内レールを間仕切りパネルの下面に設ける一方、スライドパネルは、開放側端部より開放側に突出し間仕切りパネル側に延出するローラー支持部材が取付けられ、ローラー支持部材は、案内レールに下面から嵌合する案内ローラーを有することにより、間仕切りパネルに対しスライドパネルを所定範囲で移動可能としたものである。
【実施例１】
【００１３】
図１は、本発明斜視図を示している。
符号１・・・は、間仕切りパネルを示し、符号６はスライドパネルを示している。
スライドパネル６は、間仕切りパネル１に着脱自在に取付けられる上部倒れ止め金具７、下部振れ止め金具８、間仕切りパネル１のアジャスター２００、２００間に渡って設けられた案内レール３に下面から嵌合する案内ローラー９３１によって、間仕切りパネル１に対し所定範囲で移動可能に支持されている。
【００１４】
間仕切りパネル１は、アルミ材の押出し成形により形成された上枠１１、下枠１２と、アルミ材の押出し成形により形成された左右の縦枠１３、１３と、上枠１１、下枠１２、左右の縦枠１３、１３の各角部を連結する上下及び左右のコーナー金具２・・・（図2に示す。）と、上枠１１と下枠１２と左右の縦枠１３、１３間の表裏両面にペーパーハニカム１５を介して圧着された表面板１６・・・（図５に示す。）等より構成されている。
【００１５】
図6に示すように、上枠１１は、上縁部１１１と、上縁部１１１の下方に突出して形成された表面板上支持突部１１４よりなり、上表面板上支持突部１１４内部が空洞とされ、空洞の左右端部を左右の上側のコーナー金具２、２の一部が圧入嵌合する上側の圧入嵌合孔１１６、１１６としている。
【００１６】
下枠１２は、上枠１１の一部を加工して形成され、上枠１１と上下対称に配設されている。
すなわち、下枠１２は、下縁部１２１と、下縁部１２１の上方に突出して形成された表面板下支持突部１２４よりなり、表面板下支持突部１２４の内部が空洞とされ、空洞の左右端部を左右の下側のコーナー金具２、２の一部が圧入嵌合する下側の圧入嵌合孔１２６、１２６とし、下縁部１２１の所定位置にアジャスター２００、あるいは固定キャスター３００の取付孔１２９（図４に示す。）が形成されている。
【００１７】
左右の縦枠１３、１３は左右対称形に形成されているので、一方側についてのみ説明する。
縦枠１３は、側端面の上下方向に端面側が小さく奥部側が大きく形成された横向き台形状の連結用嵌合溝１３１を有する基部１３０と、基部１３０の奥部側に形成された表面板側支持突部１３３と、表面板側支持突部１３３の内部の上下方向に円形空洞部を有し、円形空洞部の上下端部を左右の上下のコーナー金具２、２との連結孔１３４、１３４とした連結用突条１３５より構成され、基部１３０と表面板側支持突部１３３、連結用突条１３５にて形成された空洞の上下端部を、上側のコーナー金具２の一部および下側のコーナー金具２の一部が圧入嵌合する、圧入嵌入孔１３６、１３６としている。
【００１８】
左右の上下のコーナー金具２・・・は、上枠１１、下枠１２、左右の縦枠１３、１３の各端部を互いに連結する際、上下、左右対称に各角部に同一のものが配置して使用されている。
ここでは、先ず、上枠１１と左右の縦枠１３、１３のうち一方の縦枠１３の上端とを連結する上側のコーナー金具２として使用される場合について説明する。
すなわち、コーナー金具２は、端部に縦枠１３の連結用嵌合溝１３１と同形の嵌合切り欠き部２１を有するコーナー基板２３と、コーナー基板２３の下面より下方に突出し、前記縦枠１３の上側の圧入嵌入孔１３６に圧入嵌合する縦枠圧入嵌合突部２４と、コーナー基板２３から突出し、前記上枠１１の上側の圧入嵌合孔１１６に圧入嵌合する上下枠圧入嵌合突部２５と、コーナー基板２３の上面より上方に突出し、表裏両側にスライド凹溝を有する上支持突条２６より構成され、コーナー基板２３には、縦枠１３の連結孔１３４に対応して、貫通孔２０が形成されている。
【００１９】
そして、間仕切りパネル１が他の間仕切りパネル１と連結されない場合のみ、上コーナー金具２に上コーナーキャップ２８が取付けられる。
すなわち、上コーナーキャップ２８は、縦枠１３の上側の連結孔１３４およびコーナー金具２の貫通孔２０に対応して、取付け孔２８０が形成され、上支持突条２６に外嵌し、連結用嵌合溝１３１、及び、嵌合切り欠き部２１の上端を隠蔽する。
又、下枠１２と左右の縦枠１３、１３のうち一方の縦枠１３の下端とを連結する下側のコーナー金具２として使用される場合には、上下枠圧入嵌合突部２５に形成されたアジャスー取付用保持孔２９に、下枠１２のアジャスター取付孔１２９を貫通したアジャスター２００（固定キャスター３００）が螺合して使用される。
そして、スライド凹溝２７、２７にスライド自在に保持される受け部材２０１が取付けられる。
【００２０】
そして、左右の縦枠１３、１３の上下圧入嵌入孔１３６、１３６にコーナー金具２の縦枠圧入嵌合突部２４・・・を圧入嵌合させ、上下枠１１、１２の上下の圧入嵌合孔１１６、１２６にコーナー金具２の上下枠圧入嵌合突部２５・・・圧入嵌合させて、それぞれを互いに連結することにより基枠が構成され、基枠の表裏両面に、ペーパーハニカム材１５を介して表面板１６・・・を圧着する事により、間仕切りパネル１が構成される。
上記の如く構成された間仕切りパネル１は、上コーナーキャップ２８に代わる直線連結金具３０、支柱用直線連結金具、Ｔ字形連結金具、十字形連結金具、Ｌ字形連結金具、段違い連結金具、支柱用端部連結金具９０、及び、支柱５によって間仕切りパネル１の上部同士が連結され、下部同士は支柱用端部連結金具９０、及び、支柱５によって連結される。
そして、直線的あるいはＬ字形等に連結された複数枚の間仕切りパネルのうち、端部に位置する間仕切パネル１の下面のアジャスター２００、２００間にだけ、後述する案内レール３が取付けられる。
なお、間仕切りパネル１・・・同士の連結に関する構成、間仕切りパネル１と支柱５の連結に関する構成については、特開２００５−１２０６１４号公報に開示された発明と同一であるので省略する。
【００２１】
本発明のスライドパネル６は、直線的に連結された間仕切りパネル１・・・の端部に位置する間仕切りパネル１に取付けられて使用されるか、あるいは、Ｌ字形に連結された間仕切りパネル１・・・のコーナー部分の間仕切りパネル１に取付けられて使用される。
そして、いずれの場合においても、間仕切りパネル１・・・の端部に位置する間仕切りパネル１には、支柱用端部連結金具９０を介して支柱５が（間仕切りパネル1同士を、Ｌ形、Ｔ字形等に連結する時に使用される。）連結される。
【００２２】
支柱５は、間仕切りパネル１のアジャスター２００・・・を除いた高さとほぼ同高さに、アルミの押出し成形によって四角柱状に形成され、上下端部を、支柱用直線連結金具、Ｔ字形連結金具、十字形連結金具、Ｌ字形連結金具、支柱用端部連結金具９０等との連結孔５１、５１とした補強リブ５２を中央部に有し、４隅上下端部を上記金具の嵌合突起が嵌入する上下嵌入孔５３・・・とし、四角柱状の４側端面には上下方向に渡って、縦枠１３の嵌合溝１３１と同形の支柱嵌合溝５４・・・が形成されている。
【００２３】
支柱用端部連結金具９０（図８に示す。尚、上側で使用される支柱用端部連結金具９０は、図８に示す支柱用端部連結金具９０は上下対称形状となる。）は下側のコーナー金具２の下支持突条２６に外嵌し、コーナー基板２３と支柱５の下面に位置する外装部９０１と、外装部９０１の支柱５側の下面から下方に突出し、支柱５の下嵌入孔５３・・・に嵌入する嵌入突起９０３・・・と、外装部９０１の間仕切りパネル１側の下面から下方に突出し、縦枠１３の連結用嵌合溝１３１、支柱５の支柱嵌合溝５４に嵌合する連結脚部９０４と、縦枠１３の連結孔１３４に一致する連結孔９０５を有する連結用筒部９０７と、外装部９０１の支柱５側端部中央に形成された支柱５の連結孔５１に対応する支柱用連結孔９０９より構成されている。
【００２４】
以下、スライドパネル６が間仕切りパネル１の端部に対して延出する方向を閉鎖側、スライドパネル６が間仕切りパネル１の端部に対して退行する方向を開放側とし、開放側と閉鎖側の方向に直交する方向で、スライドパネル６側の方向を前側、間仕切りパネル１側の方向を後側として説明する。
スライドパネル６は、間仕切りパネル１と同一の上下枠１１、１２、左右の縦枠１３、１３、コーナー金具２・・・と、上コーナーキャップ２８、２８と、上枠１１と下枠１２と左右の縦枠１３、１３間の前後側両面にペーパーハニカム１５を介して圧着された表面板１６、１６からなるスライドパネル本体６０と、スライドパネル本体６０の下面に取付けられた固定キャスター３００、３００と、スライドパネル本体６０の開放側端部より開放側に突出し間仕切りパネル1側に延出する案内ローラー９３１を有するローラー支持部材９、スライドパネル本体６０の閉鎖側の縦枠１３に取付けられた移動操作用の把手６００等より構成されている。
【００２５】
すなわち、スライドパネル６は、間仕切りパネル１に取付けられているアジャスター２００に代わって固定キャスター３００が取付けられ、閉鎖側の縦枠１３に把手６００が取付けられ、受け部材２０１、２０１に代わって下コーナーキャップ２９、連結用下コーナーキャップ４が取付けられ、開放側端部より開放側に突出し間仕切りパネル1側に延出する案内ローラー９３１を有するローラー支持部材９が取付けられることで、既設の間仕切りパネル１を転用して使用することも可能である。
【００２６】
連結用下コーナーキャップ４は、開放側の縦枠１３の下側の連結孔１３４およびコーナー金具２の貫通孔２０に対応して取付け孔４０を有し、基板４３から上向きに突出する金具保持筒４１と、コーナー金具２の下支持突条２６に外嵌する基板４３の前後端部から上方に突出する上向き突壁４２、４２等を有している
【００２７】
尚、実施例では、間仕切りパネル１のアジャスター２００・・・の代わりに取付けられるキャスターとして、移動間仕切りに使用される自在キャスター３１０を転用しているので、自在キャスター３１０を固定キャスター３００として機能するよう、自在キャスター３１０の上部に首振り防止部材３２０を取付けている。
【００２８】
開放側の首振り防止部材３２０は、連結用下コーナーキャップ４の基板４３の下面と連結される上面板３２１と、上面板３２１の前後側端部から下方に突出する前後下向き突片３２２、３２２と、上面板３２１、前後下向き突片３２２、３２２の開放側の端面に一体に形成された側面板３２３より形成され、上面版３２１の開放側端部に連結用下コーナーキャップ４の取付け孔４０に対応して透孔３２４が形成され、上面版３２１の閉鎖側端部に自在キャスター３１０の取付け軸３１１が挿通する、閉鎖側端面が開口する挿通用切り欠き３２５が形成され、前後下向き突片３２２、３２２の閉鎖側端部に自在キャスター３１０の車輪カバー体３１２の上面に当接するよう、車輪カバー体３１２の上面に沿った形状の端面を有する当接用切欠き３２６、３２６が形成されている。
【００２９】
開放側の首振り防止部材３２０は上記のように形成され、ローラー支持部材９、連結用下コーナーキャップ４と共に連結ネジ９００にてスライドパネル６の開放側端部下面に連結され、その後、自在キャスター３１０が取付けられ、車輪カバー体３１２の上面に首振り防止部材３２０の当接用切欠き３２６、３２６の端面が当接し、自在キャスター３１０は固定キャスター３００して機能する。閉鎖側の首振り防止部材３２０は開放側と対向した対称形に形成されている。
尚、実施例では、自在キャスター３１０と首振り防止部材３２０で固定キャスター３００を構成しているが、自在キャスター３１０の代わりに固定キャスターを使用しても良いことは云うまでもない。
【００３０】
そして、固定キャスター３００、３００間に位置して間仕切りパネル１に取付けられる下部振れ止め金具８の開閉側端部に固定キャスター３００、３００が当接することによってスライドパネル６の開閉方向への移動が制限される。
すなわち、固定キャスター３００、３００の間隔と、下部振れ止め金具８の開閉方向の寸法とによってスライドパネル６の移動幅が決定されるが、スライドパネル６の閉鎖時と開放時に、上部倒れ止め金具７の開放側端部と閉鎖側端部に当接する閉鎖用上部ストッパー６１１と開放用上部ストッパー６１２をスライドパネル６の開閉側端部上面に着脱自在に設ける事により、固定キャスター３００、３００の間隔から下部振れ止め金具８の開閉方向の寸法を差し引いた寸法内であれば、スライドパネル６の移動幅を適宜決定することが可能である。
【００３１】
上部倒れ止め金具７は、スライドパネル６の上端部に上方から外嵌し、スライドパネル６の上端面と所定間隔を有して上方に位置する上方基板７３と、上方基板７３の前側端部が下方に折り曲げられ、スライドパネル６の前側に位置する前側上突壁７１と、前側上突壁７１と所定間隔を有してスライドパネル６の後側に位置するよう上方基板７３の下面に下方に突出して溶接等にて設けられた後側上突壁７２と、上方基板７３の後側が間仕切りパネル１の上端面上方に延出された上連結用突片７４より構成されている。
【００３２】
そして、上連結用突片７４には、縦枠１３の上側の連結孔１３４と支柱５の上側の連結孔５１に一致する倒れ止め金具上連結孔７５、７５が形成されると共に、スライドパネル６上に位置する上方基板７３の一部には、開放側端部が開口するスライド領域調整用きり欠き７３１が形成され、前側上突壁７１と後側上突壁７２の内面には、スライドパネル６の円滑な移動を補助する滑り部材７６、７６が貼付けられている。
そして、スライドパネル６の閉鎖用上部ストッパー６１１がスライド領域調整用きり欠き７３１の閉鎖側端面に当接することで、スライドパネル６の閉鎖側への移動が停止される。
又、開放側上部ストッパー６１２が上部倒れ止め金具７（上方基板７３）の閉鎖側端面
に当接することでスライドパネル６の開放側への移動が停止される。
【００３３】
下部振れ止め金具８は、スライドパネル６の下端部に下方から外嵌して固定キャスター３００、３００間に位置し、スライドパネル６の下端面と所定間隔を有して下方に位置する下方基板８３と、下方基板８３の前側と後側の端部が上方に折り曲げられ、スライドパネル６の前後側に位置する前後側下突壁８１、８２からなる上向きコ字形の下部倒れ止め部材８４と、下部倒れ止め部材８４の下方基板８３の下面に溶接等にて連結され、間仕切りパネル側１の下面に延出された下連結部材８５より構成され、下連結部材８５には縦枠１３の下側の連結孔１３４と支柱５の下側の連結孔５１に一致する倒れ止め金具下連結孔８６、８６が形成され、外側下突壁８１と内側下突壁８２の内面には、スライドパネル６の円滑な移動を補助する滑り部材８７、８７が貼付けられている。
そして、スライドパネル６の開放側の固定キャスター３００（取付け軸３１１）が下部振れ止め金具８（下方基板８３）の開放側端面に当接してスライドパネル６の閉鎖側への移動が停止される。
又、閉鎖側の固定キャスター３００（取付け軸３１１）が下部振れ止め金具８（下方基板８３）の閉鎖側端面に当接してスライドパネル６の開放側への移動が停止される。
【００３４】
ローラー支持部材９は、連結用下コーナーキャップ４のスライドパネル６に対する連結状態で、連結用下コーナーキャップ４とコーナー金具２間に挟持される連結基板９１と、スライドパネル６から開放側に突出する連結基板９１の開放側端部で、間仕切りパネル１側に下方に突出して連設され、間仕切りパネル１の下面で開閉方向に渡って設けられた案内レール３の下方に位置するローラー取付け面９３を有するＬ字形のローラー取付け板９２より構成されている。
そして、ローラー取付け面９３の上面には案内レール３に下方から嵌合する案内ローラー９３１が回転自在に取付けられている。
【００３５】
すなわち、連結基板９１は、閉鎖側端部に連結用下コーナーキャップ４の金具保持筒４１に外嵌する嵌合孔９１１を有し、さらに上向き突壁４２、４２間に嵌合する前後幅に形成される事で、首振り防止部材３２０、連結用下コーナーキャップ４と共にスライドパネル６に取付けられた状態で、ローラー支持部材９は、スライドパネル６に対して回動する事も又連結用下コーナーキャップ４より抜け出す事もない。
【００３６】
ローラー支持部材９の案内ローラー９３１が嵌合する案内レール３は、間仕切りパネル１の下枠１２の下縁部１２１の下面にネジ止めされる上部基板３１と、上部基板３１の前後側端部に連設された前後側垂下突片３２、３３より下面が開口する下向き略コ字形に形成され、間仕切りパネル１のアジャスター２００、２００間に渡って配設されている。
そして、前側垂下突片３２は後側垂下突片３３より短めに形成されている。
【００３７】
スライドパネル６と、上部倒れ止め金具７と、下部振れ止め金具８と、ローラー支持金具９と、案内レール３は上記の如く構成され、次の様にして、スライドパネル６は間仕切りパネル１に取付けられる。
直線的あるいはＬ字形等に連結された複数枚の間仕切りパネル１・・・の端部の間仕切りパネル１にスライドパネル６を取付ける時は、まず、他の間仕切りパネル１との連結状態を解除し、複数枚の間仕切りパネル１・・・の端部の間仕切りパネル１のアジャスター２００、２００間に渡って案内レール３をネジ止めし、次に、縦枠１３の閉鎖側に支柱５を当接させて、支柱用端部連結金具９０の連結脚部９０４を縦枠１３の嵌合溝１３１の下側と支柱５の支柱嵌合溝５４の下側に嵌入し、さらに、外装部９０１を下側のコーナー金具２の下支持突条２６に外嵌させ、縦枠１３の連結孔１３４の下側と支柱５の連結孔５１の下側に、連結用筒部の連結孔９０５と支柱用連結孔９０９を一致させ、さらに、下部倒れ止め部材８４を上向きの状態で、振れ止め金具下連結孔８６、８６を、支柱５の連結孔５１、支柱用連結孔９０９、連結孔９０５、縦枠１３の連結孔１３４を一致させ、連結ネジ５０・・・にて下部振れ止め金具８、支柱用端部連結金具９０、支柱５と間仕切りパネル１の下端部を連結する。
次に、支柱５と上側のコーナー金具２（間仕切りパネル１の上端部）を支柱用端部連結金具９０で仮連結する。
【００３８】
そして、既に他の間仕切りパネル１と連結されている間仕切りパネル１の端部に、支柱５が連結された間仕切りパネル１の端部と反対側の端部を連結部材、直線形連結金具３０等にて連結し、間仕切りパネル１を立設する。
次に、下コーナーキャップ４と共に連結ネジ９００、９００にてローラー支持部材９、固定キャスター３００、３００が取付けられたスライドパネル６の開放側端部を、間仕切りパネル１を持ち上げた状態の案内レール３内に、やや斜め下方から案内ローラー９３１が嵌合するよう移動させ、案内ローラー９３１を案内レール３に嵌合させ、さらにスライドパネル６を間仕切りパネル１と平行にする段階で、閉鎖側端部を持ち上げて下部振れ止め金具８の前後側下突壁８１、８２間に上方より固定キャスター３００、３００間のスライドパネル６の下端部を嵌入させる。
【００３９】
この状態で、支柱５と上側のコーナー金具２を仮連結している支柱端部連結金具９０の連結ネジ５０、５０を取り外し、支柱用端部連結金具９０の連結脚部９０４を縦枠１３の上側の嵌合溝１３１、支柱５の上側の支柱嵌合溝５４に上端より嵌入し、外装部９０１を上側のコーナー金具２の上支持突条２６に外嵌し、縦枠１３の連結孔１３４と支柱５の連結孔５１に、連結用筒部９０７の連結孔９０５と支柱用連結孔９０９を一致させた状態で、上部倒れ止め金具７を下向きの状態で、スライドパネル６の上端部が前側上突壁７１と後側上突壁７２間に位置するように、金具上連結孔７５、７５を支柱５の連結孔５１、支柱用連結孔９０９、連結孔９０５、縦枠１３の連結孔１３４を一致させ、取り外した連結ネジ５０・・・にて上部倒れ止め金具７、支柱用端部連結金具９０、支柱５と間仕切りパネル１の上端部を連結し、スライドパネル６を間仕切りパネル１に対して移動自在に保持する。
この時、上部倒れ止め金具７の上方基板７３とスライドパネル６の上枠１１間、および、スライドパネル６の下枠１２と下部振れ止め金具８の下方基板８３間に所定の間隙が形成される。
【００４０】
そして、スライドパネル６が閉鎖側に移動した際、下部振れ止め金具８の開放側端部に開放側の固定キャスター３００の閉鎖側（固定キャスター３００の取付けボルト３１１の閉鎖側）が当接して停止すると同時に、上部触れ止め金具７の開放側端部に閉鎖用上部ストッパー６１１が当接するよう、スライドパネル６の上端面に閉鎖用上部ストッパー６１１を着脱自在に取付ける。
又、スライドパネル６が開放側に移動した際、下部振れ止め金具８の閉鎖側端部に閉鎖側の固定キャスター３００の開放側（固定キャスター３００の取付けボルト３１１の開放側）が当接して停止すると同時に、上部触れ止め金具７の閉鎖側端部に開放用上部ストッパー６１２が当接するよう、スライドパネル６の上端面に開放用上部ストッパー６１２を着脱自在に取付ける。
【００４１】
尚、実施例では、上部倒れ止め金具７、下部振れ止め金具８は、支柱５の上下の連結孔５１、５１、間仕切りパネル１の縦枠１３の上下の連結孔１３４、１３４を利用して取付けるため、間仕切りパネル１に現場での加工を一切不要としているが、スライドパネル６が取付く間仕切りパネル１に支柱５を取付けない時は、金具上連結孔７５、７５、及び、振れ止め金具下連結孔８６、８６に対応する連結孔を現場で上枠１１と下枠１２に加工をすればよい。
【００４２】
本発明は上記の如く構成されているので、把手６００をもって手動にてスライドパネル６を開閉方向に移動させると、固定キャスター３００、３００が床面に接触しているので、スライドパネル６は、床面の凹凸や傾斜によって若干の上下動はするものの、下部振れ止め金具８はスライドパネル６に下方から外嵌し、上部倒れ止め金具７はに上方から外嵌しているので、上部倒れ止め金具７の上方基板７３とスライドパネル６の上枠１１間に形成される所定の間隙、および、スライドパネル６の下枠１２と下部振れ止め金具８の下方基板８３間に形成される所定の間隙によって、スライドパネル６が移動中に上下動しても他の部材と干渉することはなく、スライドパネル６の移動に悪影響を及ぼす事がない。
さらに、間仕切りパネル１に案内レール３を設け、スライドパネル６に案内レール３に嵌合する案内ローラー９３１を設けているので、前後方向（開閉方向と交わる方向）に床面が傾斜していてもスライドパネル６の後端部の前後方向への移動範囲が一定し、そのため、スライドパネル６の開放側端部の前後方向へのブレ（移動）が小さくなり、したがって、間仕切りパネルと平行に移動させることが可能となる。
また、案内レール３は、間仕切パネル１の下面のアジャスター２００、２００間に渡って配設されているため、目立たず、間仕切パネル１の意匠性を損なわない。
【図面の簡単な説明】
【００４３】
【図１】本発明の斜視図
【図２】本発明の要部分解斜視図
【図３】本発明の正面図
【図４】図３のＡ―Ａ線拡大断面図
【図５】図３のＢ―Ｂ線拡大断面図
【図６】間仕切りパネルの構成の一部を示す要部分解斜視図
【図７】ローラー支持金具の取付け状態を示す要部分解斜視図
【図８】下部振れ止め金具の取付け状態を示す要部分解斜視図
【符号の説明】
【００４４】
１             間仕切りパネル
１３４       縦枠の連結孔
２             コーナー金具
２００       アジャスター
３             案内レール
３００       固定キャスター
５１          支柱の連結孔
６             スライドパネル
６１１       閉鎖用上部ストッパー
６１２                          開放用上部ストッパー
７             上部倒れ止め金具
８             下部振れ止め金具
９             ローラー支持金具
９３１       案内ローラー
【図１】
0004838635.tif 000002
【図２】
0004838635.tif 000003
【図３】
0004838635.tif 000004
【図４】
0004838635.tif 000005
【図５】
0004838635.tif 000006
【図６】
0004838635.tif 000007
【図７】
0004838635.tif 000008
【図８】
0004838635.tif 000009